(57)【要約】【課題】侵入者の防犯領域への侵入の検出を不要にして防犯効果を確実に得、媒体が防犯領域外へ到達して周辺の居住区域などに悪影響を及ぼすことを防止でき、防犯効果を威嚇、作業継続阻止、撃退などレベルに応じて設定でき、防犯態勢を解除しても媒体に残留性がないことから排気作業及び清掃作業を不要とし、むしろ脱臭効果があり、大気を資源とするために媒体補充が不要である防犯方法及び防犯装置を提供する。【解決手段】防犯態勢にあるときはオゾン生成手段４０によりオゾンを生成して防犯領域２０に所定の濃度でオゾンの雰囲気を形成する一方、防犯態勢を解除するときはオゾン生成手段４０によるオゾンの生成を停止する。【選択図】　図１
2004038413.tif 000002
【特許請求の範囲】
【請求項１】
防犯態勢にあるときはオゾン生成手段によりオゾンを生成して防犯領域に所定の濃度でオゾンの雰囲気を形成する一方、防犯態勢を解除するときはオゾン生成手段によるオゾンの生成を停止することを特徴とするオゾンを用いた防犯方法。
【請求項２】
防犯領域に、作動・停止が切換可能で作動時にオゾンを生成するオゾン生成手段が設けられ、オゾン生成手段を作動させると防犯領域に所定の濃度でオゾンの雰囲気が形成されるように構成したことを特徴とするオゾンを用いた防犯装置。
【請求項３】
請求項２のオゾンを用いた防犯装置において、更に、切換時刻を設定する切換時刻設定手段と、時間の経過を計る計時手段と、切換時刻設定手段及び計時手段の出力を受け、切換時刻にオゾン生成手段の作動・停止を切り換える切換制御手段とを備えたオゾンを用いた防犯装置。
【請求項４】
オゾン生成手段が、オゾンの生成能力を調整できるように構成されている請求項２又は請求項３のオゾンを用いた防犯装置。
【請求項５】
請求項４のオゾンを用いた防犯装置において、更に、オゾン生成手段の作動時に侵入者に関する情報を検出する侵入検出手段と、侵入検出手段の出力を受け、侵入者に関する情報を受けたときにオゾン生成手段のオゾン生成能力を高める補正制御手段とを備えたオゾンを用いた防犯装置。
【発明の詳細な説明】
【０００１】
【発明の属する技術分野】
本発明は、オゾンを用いて防犯領域に侵入者が侵入することを防ぐ防犯方法及びそのために用いる装置に関する。
【０００２】
【従来の技術】
従来、この種の防犯装置として、侵入者の防犯領域への侵入をセンサーで検出し、この検出を受けて種々の媒体により侵入者を威嚇又は撃退する技術が提案されている（例えば、特許第３０２０３３５号公報、特表平８−５０６６７２号公報、特開平９−２６５５８５号公報、特開平１０−２６９４６９号公報、実用新案登録第２５７１１４０号公報、実開昭５７−９２２８８号公報を参照）。これらの技術では媒体として、例えば煙、不快な音波、気体、噴出するガス、超音波、嫌臭性ガスが挙げられている。
【０００３】
【発明が解決しようとする課題】
これらの防犯装置では、まずセンサーにより侵入者の防犯領域への侵入を確実に検出する必要がある。そのため、侵入者がセンサーを不作動になるよう細工したり、センサーの検出領域をかいくぐるような侵入ルートを探し当てたときには、これらの防犯装置は機能せず、意味をなさない。このような問題を解決するために、不快な音波または超音波を媒体とするときは、防犯態勢にあるときに音波等を放出し続けておくことも考えられるが、音波等が防犯領域の外にまで到達すると、防犯態勢にある間、防犯領域周辺の居住区域などに悪影響を及ぼし続けることになるから問題となる。また、上記従来の防犯装置では、侵入者に対して威嚇に留めるか撃退までするかなど、防犯効果のレベルを設定することが困難である。
【０００４】
煙、気体、噴出するガス、嫌臭性ガスを媒体とする場合、防犯装置が一旦作動したときには、その後に防犯態勢を解除して防犯領域で人が活動できる状態に戻すには、煙等を充分に排気する作業が必要となる。この排気作業が終わっても煙等の成分が防犯領域の物品、壁等に残留するので、清掃作業が必要となる。煙等の物性によっては完全に清掃できないこともあり、臭い、色等が残留することになる。また、気体、噴出するガス、嫌臭性ガスを媒体とするときは、ボンベ等に封入しておき、防犯装置が一旦作動すればその後に媒体を補充しておく必要がある。
【０００５】
本発明はこのような点に着目してなされたものであり、その目的とするところは、防犯領域に所定の濃度でオゾンの雰囲気を形成することにより、侵入者の防犯領域への侵入の検出を不要にして防犯効果を確実に得ることができ、媒体が防犯領域外へ到達して周辺の居住区域などに悪影響を及ぼすことを防止でき、防犯効果を威嚇、作業継続阻止、撃退などレベルに応じて設定することができ、防犯態勢を解除しても媒体に残留性がないことから排気作業及び清掃作業を不要とし、むしろ脱臭効果があり、大気を資源とするために媒体補充が不要である防犯方法及び防犯装置を提供することにある。
【０００６】
【課題を解決するための手段】
上記目的を達成するため、請求項１のオゾンを用いた防犯方法は、防犯態勢にあるときはオゾン生成手段によりオゾンを生成して防犯領域に所定の濃度でオゾンの雰囲気を形成する一方、防犯態勢を解除するときはオゾン生成手段によるオゾンの生成を停止することを特徴としている。
【０００７】
防犯態勢にあるときはオゾン生成手段によりオゾンを生成して防犯領域に所定の濃度でオゾンの雰囲気を形成する。侵入者がこの雰囲気に侵入するとオゾンの生理作用により、侵入者には濃度に応じて、オゾン特有の臭いがする、正常者にとって不快であり且つ大部分の者の鼻・咽喉に刺激がある、数分ないし数十分で鼻・咽に刺激があり且つ喘息患者の発作回数が上昇する、胸痛・咳・呼吸困難・気道抵抗の増加・肺ガス交換の低下が起こる、疲労感・頭痛・気道のかわきを感じる、数十分で呼吸困難・肺水腫・昏睡状態になることがある、数分で致死の可能性が生じる、という症状が生じる。これによって侵入者は威嚇を受けて防犯領域への侵入を断念する、金品の持ち出し作業等の行為を断念する、防犯領域から撃退されるなどの状況に至り、防犯効果が発揮される。その場合、侵入者の防犯領域への侵入の検出を必要としないので、従来技術のようにセンサー機能を排除しての侵入者の侵入が阻止されて、防犯効果を確実に得ることが出来る。しかも、オゾンの濃度を変えることで防犯効果を威嚇、作業継続阻止、撃退などレベルに応じて設定することができる。また、オゾンは大気中で分解されやすいので、防犯領域の周辺では分解されて急速に濃度が低下して消滅することから、防犯領域外へのオゾンの到達がなく、周辺の居住区域などへ悪影響を及ぼすことがない。防犯態勢を解除するときはオゾン生成手段によるオゾンの生成を停止する。その場合、オゾンは大気中で分解されて急速に濃度が低下し、消滅することから残留性がないので、排気作業及び清掃作業が不要である。むしろオゾンは脱臭効果があるので、防犯領域が清潔に保たれる。オゾン生成手段は大気を資源とするので媒体補充が不要である。
【０００８】
請求項２のオゾンを用いた防犯装置は、防犯領域に、作動・停止が切換可能で作動時にオゾンを生成するオゾン生成手段が設けられ、オゾン生成手段を作動させると防犯領域に所定の濃度でオゾンの雰囲気が形成されるように構成したことを特徴としている。
【０００９】
オゾン生成手段を作動させると、防犯領域に所定の濃度でオゾンの雰囲気が形成され、オゾン生成手段を停止させると、オゾンは大気中で分解されて急速に濃度が低下し、消滅する。この防犯装置により請求項１の防犯方法が実施され、請求項１の作用が得られる。
【００１０】
請求項３のオゾンを用いた防犯装置は、請求項２のオゾンを用いた防犯装置において、更に、切換時刻を設定する切換時刻設定手段と、時間の経過を計る計時手段と、切換時刻設定手段及び計時手段の出力を受け、切換時刻にオゾン生成手段の作動・停止を切り換える切換制御手段とを備えている。
【００１１】
このようにすれば、切換時刻設定手段で切換時刻を設定しておくと、計時手段で時間の経過が計られ、切換制御手段により切換時刻にオゾン生成手段の作動・停止が切り換えられる。オゾン生成手段が作動すれば防犯領域に所定の濃度でオゾンの雰囲気が形成され、オゾン生成手段が停止すれば防犯領域のオゾンが消滅する。このように簡単なオンオフ制御により、防犯態勢の開始及び解除が行える。その場合、オゾンの雰囲気に触れることなく自動的にオゾン生成手段を作動又は停止させることができるので使用者の安全性が向上する。
【００１２】
請求項４のオゾンを用いた防犯装置は、請求項２又は請求項３のオゾンを用いた防犯装置において、オゾン生成手段が、オゾンの生成能力を調整できるように構成されている。
【００１３】
このようにすれば、防犯領域のオゾン濃度が調整されるので、防犯効果をレベルに応じて容易に設定することができる。
【００１４】
請求項５のオゾンを用いた防犯装置は、請求項４のオゾンを用いた防犯装置において、更に、オゾン生成手段の作動時に侵入者に関する情報を検出する侵入検出手段と、侵入検出手段の出力を受け、侵入者に関する情報を受けたときにオゾン生成手段のオゾン生成能力を高める補正制御手段とを備えている。
【００１５】
このようにすれば、侵入検出手段により侵入者に関する情報を検出すると、補正制御手段によりオゾン生成手段のオゾン生成能力が高められる。そのため、初期状態ではオゾン濃度を防犯効果のレベルが低くなるように設定しておき、それでもなお侵入者が侵入しようとしたときには補正制御手段によりオゾン濃度が高められて防犯効果のレベルが高まり、侵入者の侵入を確実に阻止することができる。従って、ランニングコストを抑えながら防犯効果を確実に得ることができる。
【００１６】
【発明の実施の形態】
以下、本発明に係るオゾンを用いた防犯方法及び防犯装置の実施の形態を説明する。このオゾンを用いた防犯方法は、防犯態勢にあるときはオゾン生成手段によりオゾンを生成して防犯領域に所定の濃度でオゾンの雰囲気を形成する一方、防犯態勢を解除するときはオゾン生成手段によるオゾンの生成を停止するという方法である。
【００１７】
ここで、防犯領域とは保護対象が存在している領域である。保護対象には金庫、現金、書類などのように窃盗の対象となり得る物品と、プラントにおける制御盤のように担当者以外の者に操作されると損失を生じたり危険を招くおそれのある物品とが含まれる。保護対象は動産であるか不動産であるかを問わない。防犯領域は、一定の広さを持つ空間であり、周囲にオゾンの流れを堰き止める機能を発揮する障害物を備えておればよく、必ずしも密閉性の高い空間である必要はない。従って、防犯領域として、例えば建物のなかの部屋の内部空間が挙げられる。そのときは部屋の壁がオゾンの流れを堰き止める障害物となる。他にも防犯領域として、例えば床面に保護対象を囲うように衝立のような仕切壁を立てたときに仕切壁によって囲まれた空間が挙げられる。そのときは仕切壁がオゾンの流れを堰き止める障害物となる。前者では壁に通気口などが開口していてもよく、後者では仕切壁に開口や隙間があってもよいが、防犯態勢に入るときのオゾン濃度の立ち上がり時間を早めるには、これらが無いか、あっても通気面積が小さいほうが好ましい。防犯態勢とは、防犯領域への侵入者の侵入を威嚇し、防犯領域に侵入した侵入者の作業継続を阻止し、防犯領域に侵入した侵入者を撃退するなどの対応を必要とされる態勢である。
【００１８】
図１は実施形態のオゾンを用いた防犯装置を示す。ここでは防犯領域２０は、建物のなかの部屋１０の内部空間である。保護対象３０は金庫で例示している。この防犯領域２０に、作動・停止が切換可能で作動時にオゾンを生成するオゾン生成手段４０が設けられ、オゾン生成手段４０を作動させると防犯領域２０に所定の濃度でオゾンの雰囲気が形成されるように構成している。このオゾン生成手段４０は部屋１０の壁１１に取付られており、そのオゾンの排出口から防犯領域２０にオゾンを排出するようにしている。
【００１９】
オゾンは三原子の酸素からなる分子構造をしており、分子記号Ｏ３で表される。オゾン生成手段は、周辺の大気からオゾンを生成する機能を発揮する手段である。図２に示すように、このオゾン生成手段４０は、大気から高濃度の酸素を発生させる酸素供給部４１と、この酸素供給部４１から送られた高濃度の酸素からオゾンを生成するオゾン生成部４２とを備えている。酸素供給部４１は、例えばＰＳＡ方式により酸素を発生させたり、吸着剤により大気中の窒素を吸着除去して酸素を発生させるものである。オゾン生成部４２は、例えば無声放電法、紫外線法、電解法、化学生成法によりオゾンを生成する。紫外線法によるオゾン生成部４２として、例えばＵＶランプを用いたものがある。これは筐体のなかにＵＶランプを設け、点灯するＵＶランプから出る特定波長の光によりＵＶランプ周囲の大気に含まれる酸素からオゾンを生成するものである。必要に応じてＵＶランプの周囲に気体の流れを生成するためのファンが設けられる。この紫外線法によるオゾン生成部４２は、窒素酸化物の発生が少なく純オゾンに近いものが得られるが、発生量が少なく蛍光管に経時変化があるので濃度変化を生じる傾向がある。しかし、蛍光管を定期的に交換するなどの対策を講じることで蛍光管の経時変化による濃度変化を抑制することができる。また、この実施形態のように前段に酸素供給部４１を設けたときにはオゾンの発生量を向上させることができるし、窒素酸化物の発生を更に少なくすることができるので好ましい。無声放電法によるオゾン生成部４２は、大量にオゾンを得ることができるので経済的であるが、窒素酸化物が多く発生するとか、放電エレメントに異物が付着してオゾンの生成量が変化するという欠点もある。しかし、この実施形態のように前段に酸素供給部４１を設けたときには窒素酸化物の発生を抑制することができるので好ましい。本発明のオゾン生成手段には酸素供給部を備えずオゾン生成部のみからなるものを含む。
【００２０】
オゾン生成手段４０は、その作動・停止がスイッチ等を備えた作動切換手段により切換可能となっている。この作動切換手段はオゾン生成手段４０の本体に設けてもよいが、その一部又は全部を本体と別に設け、電線を介して本体に接続し又は無線により本体と通信するようにしてもよく、このようにすれば本体から離れ又は防犯領域２０から離れて遠隔操作することができる。そうすれば、オゾンの雰囲気に触れることなくオゾン生成手段４０を作動又は停止させることができるので、使用者の安全性を向上させることができる。
【００２１】
オゾン生成手段４０は、オゾンの生成能力を調整できるように構成されている。これは酸素供給部４１の酸素供給能力、オゾン生成部４２のオゾン生成能力又はこれらの双方を調整することで行われる。酸素供給能力とは例えば供給される酸素の濃度、流量などであり、オゾン生成能力とは例えば生成されるオゾンの濃度、流量などである。この調整は能力調整手段４３により行う。能力調整手段４３は機械的に構成してもよいし電気的に構成してもよい。この能力調整手段４３はオゾン生成手段４０の本体に設けてもよいが、その一部又は全部を本体と別に設け、電線を介して本体に接続し又は無線により本体と通信するようにしてもよく、このようにすれば本体から離れ又は防犯領域２０から離れて遠隔操作することができる。そうすれば、オゾンの雰囲気に触れることなくオゾンの生成能力を調整できるので、使用者の安全性を向上させることができる。本発明のオゾン生成手段には、酸素供給部を持たずオゾン生成部でオゾンの生成能力を調整するもの、能力調整手段を持たずオゾンの生成能力が調整できないものが含まれる。
【００２２】
オゾンを用いた防犯装置は、オゾン生成手段４０を作動させると、防犯領域２０に所定の濃度でオゾンの雰囲気が形成されるように構成している。これは例えば防犯領域２０の広さ、密閉性の程度を勘案し、防犯領域２０に所定の濃度でオゾンの雰囲気を形成するには定常的なオゾン生成能力がどのくらいのオゾン生成手段４０を選定すればよいかを割り出し、それに合致したオゾン生成能力を備えたオゾン生成手段４０を選定するか、オゾン生成手段４０の台数を選定することで行う。オゾン生成手段４０がオゾンの生成能力を調整できるように構成されているときは防犯領域２０に形成されるオゾンの雰囲気の濃度を調整することが可能となる。オゾン濃度を検出する濃度検出手段を設け、この濃度検出手段の出力に基づいて防犯領域２０のオゾン濃度が所定の濃度になるようにオゾン生成手段４０を作動又は停止する制御をしたり、オゾン生成手段４０のオゾンの生成能力を調整する制御をするようにしてもよい。
【００２３】
オゾン雰囲気の濃度は、例えば次のデータを参考にして設定される。すなわち、０．０１ｐｐｍないし０．０５ｐｐｍの範囲ではオゾン特有の臭いがする。０．１ｐｐｍに到ると正常者にとって不快であり且つ大部分の者の鼻・咽喉に刺激がある。０．１ｐｐｍないし０．３ｐｐｍの範囲では数分ないし数十分で鼻・咽に刺激があり且つ喘息患者の発作回数が上昇する。０．６ｐｐｍないし０．８ｐｐｍの範囲では胸痛・咳・呼吸困難・気道抵抗の増加・肺ガス交換の低下が起こる。１ｐｐｍないし２ｐｐｍの範囲では疲労感・頭痛・気道のかわきを感じる。１０ｐｐｍに到ると数十分で呼吸困難・肺水腫・昏睡状態になることがある。１０００ｐｐｍに到ると数分で致死の可能性が生じる。
【００２４】
図３に示すように、オゾンを用いた防犯装置は、更に、切換時刻を設定する切換時刻設定手段５１と、時間の経過を計る計時手段５２と、切換時刻設定手段５１及び計時手段５２の出力を受け、切換時刻にオゾン生成手段４０の作動・停止を切り換える切換制御手段５３とを備えている。これらの手段５１、５２、５３は機械式タイマー、機械式スイッチなどを用いて機械的に構成してもよいし、電気回路などを用いて電気的に構成してもよく、コンピュータ制御で実現してもよい。使用例を一例挙げると、最後に退社する者がオゾン生成手段４０の作動切換手段を操作してオゾン生成手段４０を作動させ、切換時刻設定手段５１によりオゾン生成手段４０を停止させる時刻を例えば出勤時間の３０分前に設定して退社する。そうすると、オゾン生成手段４０が作動を開始して防犯態勢になり、翌日、出勤時間の３０分前になると切換制御手段５３の制御を受けて作動切換手段が作動し、オゾン生成手段４０が停止して防犯態勢が解除される。もう一例挙げると、切換時刻設定手段５１で防犯を最も必要とする時間帯の始めと終わりの時刻を設定しておくと、この時間帯でのみオゾン生成手段４０が作動して防犯態勢になる。これらの手段５１、５２、５３はオゾン生成手段４０の本体に設けてもよいが、その一部又は全部を本体と別に設け、電線を介して本体に接続し又は無線により本体と通信するようにしてもよく、このようにすれば本体から離れ又は防犯領域２０から離れて遠隔操作することができる。そうすれば、オゾンの雰囲気に触れることなく切換時刻の変更設定等ができるので、使用者の安全性を向上させることができる。
【００２５】
図４に示すように、オゾンを用いた防犯装置は、更に、オゾン生成手段４０の作動時に侵入者に関する情報を検出する侵入検出手段６１と、侵入検出手段６１の出力を受け、侵入者に関する情報を受けたときにオゾン生成手段４０のオゾン生成能力を高める補正制御手段６２とを備えている。侵入者に関する情報とは、侵入者が侵入したと推定できる情報であり、この情報には防犯領域２０の外部との境界付近で生じる物体の移動、音の発生、明るさの変化、温度変化等が含まれる。従って、侵入検出手段６１としては公知のセンサを用いることができ、例えば遮光されると作動する光センサ、設定レベルを超えた音の発生を検出すると作動する音センサなどを用いればよい。補正制御手段６２は機械的に構成してもよいし、電気回路などで電気的に構成してもよく、コンピュータ制御で実現してもよい。補正制御手段６２の出力によりオゾン生成手段４０における能力調整手段４３を制御するようにすればよい。
【００２６】
従って、この実施形態のオゾンを用いた防犯方法においては、防犯態勢にあるときはオゾン生成手段４０によりオゾンを生成して防犯領域２０に所定の濃度でオゾンの雰囲気を形成する。侵入者がこの雰囲気に侵入するとオゾンの生理作用により、侵入者には濃度に応じて、オゾン特有の臭いがする、正常者にとって不快であり且つ大部分の者の鼻・咽喉に刺激がある、数分ないし数十分で鼻・咽に刺激があり且つ喘息患者の発作回数が上昇する、胸痛・咳・呼吸困難・気道抵抗の増加・肺ガス交換の低下が起こる、疲労感・頭痛・気道のかわきを感じる、数十分で呼吸困難・肺水腫・昏睡状態になることがある、数分で致死の可能性が生じる、という症状が生じる。これによって侵入者は威嚇を受けて防犯領域２０への侵入を断念する、金庫の持ち出し作業等の行為を断念する、防犯領域２０から撃退されるなどの状況に至り、防犯効果が発揮される。その場合、侵入者の防犯領域２０への侵入の検出を必要としないので、従来技術のようにセンサー機能を排除しての侵入者の侵入が阻止されて、防犯効果を確実に得ることが出来る。しかも、オゾンの濃度を変えることで防犯効果を威嚇、作業継続阻止、撃退などレベルに応じて設定することができる。また、オゾンは大気中で分解されやすいので、防犯領域２０の周辺では分解されて急速に濃度が低下して消滅することから、防犯領域外へのオゾンの到達がなく、周辺の居住区域などへ悪影響を及ぼすことがない。防犯態勢を解除するときはオゾン生成手段４０によるオゾンの生成を停止する。その場合、図５に示すように、オゾンは大気中で分解されて急速に濃度が低下し、消滅することから残留性がないので、排気作業及び清掃作業が不要である。むしろオゾンは脱臭効果があるので、防犯領域２０が清潔に保たれる。オゾン生成手段４０は大気を資源とするので媒体補充が不要である。
【００２７】
実施形態のオゾンを用いた防犯装置でオゾン生成手段４０を作動させると、防犯領域２０に所定の濃度でオゾンの雰囲気が形成され、オゾン生成手段４０を停止させると、オゾンは大気中で分解されて急速に濃度が低下し、消滅する。この防犯装置により先の防犯方法が実施される。
【００２８】
本発明は、切換時刻設定手段５１、計時手段５２、切換制御手段５３を備えていない防犯装置の実施形態を含む。これに対して、上記実施形態ではこれらの手段５１、５２、５３を備えている。このようにすれば、切換時刻設定手段５１で切換時刻を設定しておくと、計時手段５２で時間の経過が計られ、切換制御手段５３により切換時刻にオゾン生成手段４０の作動・停止が切り換えられる。オゾン生成手段４０が作動すれば防犯領域２０に所定の濃度でオゾンの雰囲気が形成され、オゾン生成手段４０が停止すれば防犯領域２０のオゾンが消滅する。このように簡単なオンオフ制御により、防犯態勢の開始及び解除が行える。その場合、オゾンの雰囲気に触れることなく自動的にオゾン生成手段４０を作動又は停止させることができるので使用者の安全性を向上させることができる。このことはオゾン生成手段４０の遠隔操作ができないときに特に有利な効果となる。
【００２９】
本発明は、オゾンの生成能力を調整できないオゾン生成手段を備えた防犯装置の実施形態を含む。これに対して、上記実施形態のオゾン生成手段４０はオゾンの生成能力を調整できるように構成されている。このようにすれば、防犯領域２０のオゾン濃度が調整されるので、防犯効果をレベルに応じて容易に設定することができる。
【００３０】
本発明は、侵入検出手段６１、補正制御手段６２を備えていない防犯装置の実施形態を含む。これに対して、上記実施形態ではこれらの手段６１、６２を備えている。このようにすれば、侵入検出手段６１により侵入者に関する情報を検出すると、補正制御手段６２によりオゾン生成手段のオゾン生成能力が高められる。そのため、初期状態ではオゾン濃度を防犯効果のレベルが低くなるように設定しておき、それでもなお侵入者が侵入しようとしたときには補正制御手段６２によりオゾン濃度が高められて防犯効果のレベルが高まり、侵入者の侵入を確実に阻止することができる。従って、ランニングコストを抑えながら防犯効果を確実に得ることができる。
【００３１】
【発明の効果】
請求項１のオゾンを用いた防犯方法によれば、防犯態勢にあるときに防犯領域に所定の濃度でオゾンの雰囲気を形成するので、侵入者の防犯領域への侵入の検出を不要にして防犯効果を確実に得ることができ、媒体が防犯領域外へ到達して周辺の居住区域などに悪影響を及ぼすことを防止でき、防犯効果を威嚇、作業継続阻止、撃退などレベルに応じて設定することができ、防犯態勢を解除しても媒体に残留性がないことから排気作業及び清掃作業を不要とし、むしろ脱臭効果がにより防犯領域を清潔にでき、大気を資源として媒体補充を不要として取り扱い性を向上させることができる。
【００３２】
請求項２のオゾンを用いた防犯装置により請求項１の防犯方法が実施され、請求項１の作用及び効果を得ることができる。
【００３３】
請求項３のようにすれば、簡単なオンオフ制御により、防犯態勢の開始及び解除を行うことができる。オゾンの雰囲気に触れることなく自動的にオゾン生成手段を作動又は停止させることができるので使用者の安全性が向上する。
【００３４】
請求項４のようにすれば、防犯領域のオゾン濃度が調整されるので、防犯効果をレベルに応じて容易に設定することができる。
【００３５】
請求項５のようにすれば、初期状態ではオゾン濃度を防犯効果のレベルが低くなるように設定しておき、それでもなお侵入者が侵入しようとしたときには補正制御手段によりオゾン濃度が高められて防犯効果のレベルが高まり、侵入者の侵入を確実に阻止することができる。従って、ランニングコストを抑えながら防犯効果を確実に得ることができる。
【図面の簡単な説明】
【図１】実施形態のオゾンを用いた防犯装置を示す概略説明図である。
【図２】実施形態のオゾンを用いた防犯装置におけるオゾン生成手段を示すブロック図である。
【図３】実施形態のオゾンを用いた防犯装置における切換制御を示すブロック図である。
【図４】実施形態のオゾンを用いた防犯装置における補正制御を示すブロック図である。
【図５】実施形態のオゾンを用いた防犯装置におけるオゾン濃度の時間変化の一例を示す図である。
【符号の説明】
１０　部屋
１１　壁
２０　防犯領域
３０　保護対象
４０　オゾン生成手段
４１　酸素供給部
４２　オゾン生成部
５１　切換時刻設定手段
５２　計時手段
５３　切換制御手段
６１　侵入検出手段
６２　補正制御手段
【図１】
2004038413.tif 000003
【図２】
2004038413.tif 000004
【図３】
2004038413.tif 000005
【図４】
2004038413.tif 000006
【図５】
2004038413.tif 000007